(57)【要約】【課題】ペットボトルのキャップを開ける時、キャップの本体とスカート部を一体として開けられるようにする。【解決の手段】ペットボトルキャップのスカート部に楕円型の丸みを帯びた凹部を設け、ペットボトル本体のキャップ装着部のキャップのスカート部に相当する位置に半球型の凸部を設け、凹凸部を接着することにより、キャップを開けた時にスカート接合部が切断され、キャップ本体とスカート部が一体となってキャップを開けられる。【選択図】図１
2005306476.tif 000002
【特許請求の範囲】
【請求項１】
ペットボトルキャップのスカート部（２）に楕円型の丸みを帯びた凹部（３）を設け、ペットボトル本体のキャップ装着部のキャップのスカート部に相当する位置に半球型の凸部（５）を設け、凹凸部を接着することにより、キャップを開けた時にスカート接合部（４）が切断され、キャップ本体とスカート部が一体となってキャップを開けられるペットボトル。
【発明の詳細な説明】
【技術分野】
【０００１】本発明はペットボトルのキャップがスカート部と一体となって開けられるものである。
【背景技術】
【０００２】従来、ペットボトルのキャップを開ける時、スカート部（２）が、キャップを開ける時のキャップを回すことによる上下の方向への引張りの力によりスカート接合部が切断されることにより、開ける構造のためスカート部がペットボトル本体に残った。
【特許文献１】特開２００２−２７４５５２（Ｐ２００２−２７４５５２Ａ）
公開日  平成１４年９月２５日
当特許によると本発明と同様にキャップ下部のリング（本発明ではスカート部）をキャップと同時に取り外す事が出来るとしているが、構造が複雑でありペットボトル全体の構造の変更を要するため新たで複雑な金型を必要とするが、本発明は構造が簡単でありキャップの装着も容易であるため現在の技術で十分対応可能である。
【発明の開示】
【発明が解決しようとする課題】
【０００３】これまでは次のような欠点があった。
イ）ペットボトルを分別廃棄する時、ペットボトル本体とキャップを分別するが、スカート部は本体から外れなかった。
ロ）スカート部を本体から外す時は、ペンチ・ナイフ等で切断しなければならなかった。
本考案はこれらの欠点を除く為になされたものである。
【課題を解決する為の手段】
【０００４】ペットボトルキャップのスカート部（２）に楕円型の丸みを帯びた凹部（３）を設け、ペットボトル本体のキャップ装着部（キャップのスカート部に相当する位置）に半球型の凸部（５）を設け、かつスカート接合部（４）を設けキャップを開ける時の凹凸部の内外方向への物理的圧力により接合部（４）を切断する。
このキャップを装着するときは、補助具の内径ｂ）と内高ｃ）がペットボトルキャップの外径ａ）とキャップの高さｃ）が密着しキャップ装着時、外側にスカート部の凹部下が外へ膨らまないようにし、接合部（４）の切断を防ぐ。
【発明の効果】
【０００５】  イ）ペットボトルのキャップを回転させながら開ける時、接合している凹凸部が左右にズレることにより、内外方向に圧力がかかり、キャップの接合部（４）が切断される。
ロ）再度キャップを装着する場合は開放部が外側に開くことによりキャップを締めることが出来る。
【発明を実施するための最良の形態】
【０００６】  イ）ペットボトルのキャップのスカート部に楕円型の凹部（３）を設け，ペットボトル本体のキャップ装着部（キャップのスカート部に相当する位置）に半球の凸部（５）を設ける。
ロ）凹凸部を互いに接合する。
【実施例】
【０００７】ペットボトルを分別廃棄する時、キャップのスカート部が本体に残らない為、分別が容易となり、環境にも優しくなる。
【産業上の利用可能性】
【０００８】全てのペットボトルに利用でき、廃棄処分をするときの分別が容易になり、環境に優しペットボトルである。
【図面の簡単な説明】
【図１】「キャップ正面、上方からの斜視図」
【図２】「スカート部、楕円凹部の断面図」
【図３】「キャップの展開図」
【図４】「ボトル本体、開口部の上方よりの斜視図」
【図５】「開口部、半球形凸部の断面図」
【図６】「補助具の上方よりの斜視図」
【図７】「補助具の下方よりの斜視図」
【符号の説明】
（１）        キャップ本体
（２）        スカート部
（３）        楕円の凹部
（４）        スカート接合部
（５）        半球の凸部
ａ）          キャップの外径
ｂ）          キャップの内径
ｃ）          キャップの高さ
Ａ−−−−Ｂ  キャップ、スカート凹部の切断面
Ｃ−−−−Ｄ  ボトル開口部の凸部の切断面
【図１】
2005306476.tif 000003
【図２】
2005306476.tif 000004
【図３】
2005306476.tif 000005
【図４】
2005306476.tif 000006
【図５】
2005306476.tif 000007
【図６】
2005306476.tif 000008
【図７】
2005306476.tif 000009
【手続補正書】
【提出日】平成16年9月24日(2004.9.24)
【手続補正１】
【補正対象書類名】特許請求の範囲
【補正対象項目名】全文
【補正方法】変更
【補正の内容】
【特許請求の範囲】
【請求項１】
キャップ本体の下部にスカート部を設けたボトルキャップと、キャップ装着部を設けたペットボトル本体とで構成され、
上記ボトルキャップは、上記スカート部に、接合部で連結された切込み開放部を形成するとともに、その内面には凹部を形成し、
上記ペットボトル本体は、上記キャップ装着部に、上記ボトルキャップが閉栓されているときには、上記スカート部の上記凹部に接合される凸部を対応させて形成しており、
上記ボトルキャップを、上記キャップ装着部の上記凸部が上記凹部より抜け出るように回転させたときには、上記接合部が切断されることによって開栓され、そのとき、上記スカート部は上記キャップ本体と一体となって上記キャップ装着部より取り外しできるようにしたペットボトル。
【手続補正２】
【補正対象書類名】明細書
【補正対象項目名】全文
【補正方法】変更
【補正の内容】
【発明の詳細な説明】
【技術分野】
【０００１】
本発明はペットボトルのキャップがスカート部と一体となって開けられるものである。
【背景技術】
【０００２】
従来の構造では、ペットボトルのキャップを開けるとき、そのスカート部の接合部が、キャップを回すことによる上下の方向への引っ張りの力により切断されるため、スカート部がペットボトル本体に残った。
また、下記特許文献１のものは、キャップ下部のリング（本発明ではスカート部に相当）をキャップと同時に取り外すことができるが、構造が複雑であり、ペットボトル全体の構造を変更しなければならず、複雑な金型を必要としていた。
【特許文献１】特開２００２−２７４５５２号公報
【発明の開示】
【発明が解決しようとする課題】
【０００３】
従って、次のような欠点があった。
イ）ペットボトルを分別廃棄するとき、ペットボトル本体とキャップを分別するが、スカート部は本体から外れなかった。
ロ）スカート部を本体から外す時は、ペンチ・ナイフなどで切断しなければならなかった。
本発明は、これらの欠点を除くためになされたものである。
【課題を解決するための手段】
【０００４】
以上の目的を達成されるため提案される本発明は、キャップ本体の下部にスカート部を設けたボトルキャップと、キャップ装着部を設けたペットボトル本体とで構成され、
上記ボトルキャップは、上記スカート部に、接合部で連結された切込み開放部を形成するとともに、その内面には凹部を形成し、上記ペットボトル本体は、上記キャップ装着部に、上記ボトルキャップが閉栓されているときには、上記スカート部の上記凹部に接合される凸部を対応させて形成しており、上記ボトルキャップを、上記キャップ装着部の上記凸部が上記凹部より抜け出るように回転させたときには、上記接合部が切断されることによって開栓され、そのとき、上記スカート部は上記キャップ本体と一体となって上記キャップ装着部より取り外しできるようにしている。
【発明の効果】
【０００５】
ペットボトルのキャップを回転させながら開栓するとき、接合している凹凸部が左右にズレることにより、内外方向に圧力がかかり、キャップの切込み開放部の接合部が切断される。
再度、キャップを装着する場合は、切込み開放部が外側に開くことにより、
キャップを締めることができる。
ペットボトルを分別廃棄するとき、キャップのスカート部が本体に残らないため、分別が容易となり、環境にも優しくなる。
すべてのペットボトルに利用でき、廃棄処分をするときの分別が容易になり、環境に優しいペットボトルである。
【発明を実施するための最良の形態】
【０００６】
以下に、本発明の実施の形態について説明する。
【実施例１】
【０００７】
キャップ本体（１）のスカート部（２）の内面に楕円型の丸みを帯びた凹部（３）を形成し、かつ、ペットボトル本体のキャップ装着部（キャップのスカート部に相当する位置）の外面に半球型の凸部（５）を設け、更に、キャップ本体（１）には接合部（４）を設けた切込み開放部（４Ａ）を形成しており、キャップ本体（１）を開けるときの凹凸部（３）、（５）の内外方向への物理的圧力により接合部（４）を切断するようにしている。
【０００８】
このキャップ本体（１）を装着するときは、不図示の補助具の内径と内高が、キャップ本体（１）の外径ａとキャップの高さｃに密着させてキャップ装着する。その時、外側にスカート部の凹部（３）が外へ膨らまないようにして、接合部（４）の切断を防ぐ。
【図面の簡単な説明】
【０００９】
【図１】キャップ正面、上方からの斜視図
【図２】凹部を形成したスカート部の断面図(図１のＡ−Ｂ線断面図)
【図３】キャップの展開図
【図４】ボトル本体、開口部の上方よりの斜視図
【図５】凸部を形成したボトル本体の開口部の断面図（図４のＣ−Ｄ線断面図）
【図６】補助具の上方よりの斜視図
【図７】補助具の下方よりの斜視図
【符号の説明】
【００１０】
（１）  キャップ本体
（２）  スカート部
（３）  凹部
（４）  接合部
（４Ａ）  切込み開放部
（５）  凸部
【手続補正３】
【補正対象書類名】図面
【補正対象項目名】全図
【補正方法】変更
【補正の内容】
【図１】
2005306476.tif 000010
【図２】
2005306476.tif 000011
【図３】
2005306476.tif 000012
【図４】
2005306476.tif 000013
【図５】
2005306476.tif 000014
【図６】
2005306476.tif 000015
【図７】
2005306476.tif 000016
【手続補正書】
【提出日】平成17年1月24日(2005.1.24)
【手続補正１】
【補正対象書類名】特許請求の範囲
【補正対象項目名】全文
【補正方法】変更
【補正の内容】
【特許請求の範囲】
【請求項１】
キャップ本体の下部にスカート部を設けたボトルキャップと、キャップ装着部を設けたペットボトル本体とで構成され、
上記ボトルキャップは、上記スカート部に、接合部で連結された切込み開放部を形成するとともに、その内面には凹部を形成し、
上記ペットボトル本体は、上記キャップ装着部に、上記ボトルキャップが閉栓されているときには、上記スカート部の上記凹部に接合される半球状の凸部を対応させて形成しており、
上記ボトルキャップを、上記キャップ装着部の上記凸部が上記凹部より抜け出るように回転させたときには、上記凸部で上記スカート部を外方に押し広げて、上記接合部を切断することによって開栓し、そのとき、上記スカート部は上記キャップ本体と一体となって上記キャップ装着部より取り外しできるようにしたペットボトル。
【手続補正２】
【補正対象書類名】明細書
【補正対象項目名】全文
【補正方法】変更
【補正の内容】
【発明の詳細な説明】
【技術分野】
【０００１】
本発明はペットボトルのキャップがスカート部と一体となって開けられるものである。
【背景技術】
【０００２】
従来の構造では、ペットボトルのキャップを開けるとき、そのスカート部の接合部が、キャップを回すことによる上下の方向への引っ張りの力により切断されるため、スカート部がペットボトル本体に残った。
また、下記特許文献１のものは、キャップ下部のリング（本発明ではスカート部に相当）をキャップと同時に取り外すことができるが、構造が複雑であり、ペットボトル全体の構造を変更しなければならず、複雑な金型を必要としていた。
【特許文献１】特開２００２−２７４５５２号公報
【発明の開示】
【発明が解決しようとする課題】
【０００３】
従って、次のような欠点があった。
イ）ペットボトルを分別廃棄するとき、ペットボトル本体とキャップを分別するが、スカート部は本体から外れなかった。
ロ）スカート部を本体から外す時は、ペンチ・ナイフなどで切断しなければならなかった。
本発明は、これらの欠点を除くためになされたものである。
【課題を解決するための手段】
【０００４】
以上の目的を達成されるため提案される本発明は、キャップ本体の下部にスカート部を設けたボトルキャップと、キャップ装着部を設けたペットボトル本体とで構成され、ボトルキャップは、スカート部に、接合部で連結された切込み開放部を形成するとともに、その内面には凹部を形成し、ペットボトル本体は、キャップ装着部に、ボトルキャップが閉栓されているときには、スカート部の上記凹部に接合される半球状の凸部を対応させて形成しており、ボトルキャップを、キャップ装着部の上記凸部が凹部より抜け出るように回転させたときには、凸部でスカート部を外方に押し広げて、接合部を切断することによって開栓し、そのとき、スカート部はキャップ本体と一体となってキャップ装着部より取り外しできるようにしている。
【発明の効果】
【０００５】
ペットボトルのキャップを回転させながら開栓するとき、接合している凹凸部が左右にズレることにより、ボトル本体の半球状の凸部でキャップの内面を外方向へ広げる圧力を加えるためにキャップの切込み開放部の接合部が切断される。
再度、キャップを装着する場合は、切込み開放部が外側に開くことにより、
キャップを締めることができる。
ペットボトルを分別廃棄するとき、キャップのスカート部が本体に残らないため、分別が容易となり、環境にも優しくなる。
すべてのペットボトルに利用でき、廃棄処分をするときの分別が容易になり、環境に優しいペットボトルである。
【発明を実施するための最良の形態】
【０００６】
以下に、本発明の実施の形態について説明する。
【実施例１】
【０００７】
キャップ本体（１）のスカート部（２）の内面に楕円型の丸みを帯びた凹部（３）を形成し、かつ、ペットボトル本体のキャップ装着部（キャップのスカート部に相当する位置）の外面に半球型の凸部（５）を設け、更に、キャップ本体（１）には接合部（４）を設けた切込み開放部（４Ａ）を形成しており、キャップ本体（１）を開けるときの凹凸部（３）、（５）の内外方向への物理的圧力により接合部（４）を切断するようにしている。
【０００８】
このキャップ本体（１）を装着するときは、不図示の補助具の内径と内高が、キャップ本体（１）の外径ａとキャップの高さｃに密着させてキャップ装着する。その時、外側にスカート部の凹部（３）が外へ膨らまないようにして、接合部（４）の切断を防ぐ。
【図面の簡単な説明】
【０００９】
【図１】キャップ正面、上方からの斜視図
【図２】凹部を形成したスカート部の断面図(図１のＡ−Ｂ線断面図)
【図３】キャップの展開図
【図４】ボトル本体、開口部の上方よりの斜視図
【図５】凸部を形成したボトル本体の開口部の断面図（図４のＣ−Ｄ線断面図）
【図６】補助具の上方よりの斜視図
【図７】補助具の下方よりの斜視図
【符号の説明】
【００１０】
（１）  キャップ本体
（２）  スカート部
（３）  凹部
（４）  接合部
（４Ａ）  切込み開放部
（５）  凸部